(57)【要約】【課題】  記憶媒体に記憶可能な画像データの量が増加しても、その増加に伴った容量の制御情報を当該記憶媒体に格納できるようにする。【解決手段】  カメラ１０に着脱自在なメモリカード１１には、画像データファイル１４−ｎを記憶するデータ領域、及び、その画像データファイル１４−ｎが登録されるアルバムと画像データファイル１４−ｎとの登録の関係を示すアルバムリスト１７を記憶する制御領域とを有している。カメラ１０のＣＰＵは、装着されたメモリカード１１の記憶可能総容量を検出し、この検出された記憶可能総容量に基づいてメモリカード１１の記憶領域のうち制御領域として使用する容量を決定する。【選択図】      図１
2005277700.tif 000002
【特許請求の範囲】
【請求項１】
画像データを記憶するデータ領域と当該データ領域に記憶された画像データに関する制御情報を記憶する制御領域とを有する記憶媒体が着脱自在な画像管理装置において、
上記装着された記憶媒体の記憶可能総容量を検出する検出手段と、
上記検出された記憶媒体の記憶可能総容量に基づいて、上記制御領域として使用する容量を決定する決定手段と、
を具備したことを特徴とする画像管理装置。
【請求項２】
上記画像管理装置は、記憶媒体の総記憶容量と制御領域の大きさとの関係を示す管理テーブルを記憶した記憶手段を有しており、上記制御領域は当該管理テーブルに基づいて決定されることを特徴とする請求項１記載の画像記憶装置。
【請求項３】
決定された制御領域の記憶容量に基づいて、当該制御領域に格納する制御ファイルのサイズ、または上記データ領域に記憶される画像データファイルの数が決定されることを特徴とする請求項１記載の画像管理装置。
【請求項４】
上記決定手段は、既に設定されている制御領域の容量を変更することにより当該容量を決定することを特徴とする請求項１記載の画像管理装置。
【請求項５】
上記決定手段は、上記記憶可能総容量に基づいて決定される容量よりも、既に設定されている制御領域の容量の方が大きい場合には、当該容量の変更を行わないことを特徴とする請求項４記載の画像管理装置。
【請求項６】
上記決定手段は、制御領域に格納可能な制御ファイルのサイズの上限を超えた場合に、その旨を警告することを特徴とする請求項３記載の画像管理装置。
【請求項７】
決定された制御領域の記憶容量に基づいて、当該制御領域に格納する制御ファイルの数、または上記データ領域に記憶される画像データファイルの数が決定されることを特徴とする請求項１記載の画像管理装置。
【請求項８】
画像データを記憶するデータ領域と当該データ領域に記憶された画像データに関する制御情報を記憶する制御領域とを有する着脱自在な記憶媒体における記憶領域の管理方法であって、
上記装着された記憶媒体の記憶可能総容量を検出し、
上記検出された記憶媒体の記憶可能総容量に基づいて、上記制御領域として使用する容量を決定する、
ことを特徴とする管理方法。
【請求項９】
画像データを記憶するデータ領域と当該データ領域に記憶された画像データに関する制御情報を記憶する制御領域とを有する着脱自在な記憶媒体における記憶領域の管理をコンピュータに行わせるためのプログラムであって、
上記装着された記憶媒体の記憶可能総容量を検出する処理と、
上記検出された記憶媒体の記憶可能総容量に基づいて、上記制御領域として使用する容量を決定する処理と、
を上記コンピュータに行わせるためのプログラム。
【発明の詳細な説明】
【技術分野】
【０００１】
本発明は、データ管理の技術に関し、特に、画像データが記憶される記憶媒体におけるデータ管理の技術に関する。
【背景技術】
【０００２】
本発明に関する技術として、例えば特許文献１には、記憶媒体の記憶容量をカメラの数に応じて分割したときの各分割領域に記憶する画像の総枚数を任意に設定可能とした画像伝送装置により、複数の監視カメラからの画像信号を監視カメラ毎に管理できるようにした技術が開示されている。
【０００３】
また、従来のデジタルカメラにおいて撮影した画像を記憶しておく記憶媒体は、その記憶領域が、画像データを記憶するためのデータ領域と、そのデータ領域に記憶する画像データに関する制御情報（例えばＤＰＯＦ（Digital Print Order Format）の情報）を記憶する制御領域とに分割されて通常使用される。このような用途別の記憶領域を記憶媒体内に確保する作業は、一般的に、記憶媒体に対するフォーマット（記憶管理のための初期化）の実行時、画像データの記憶時、あるいは制御情報のデータの記憶時に行われる。
【特許文献１】特開２００１−５４１０１号公報
【発明の開示】
【発明が解決しようとする課題】
【０００４】
上掲した特許文献１には、記憶媒体の記憶容量を所定の条件で分割して使用することが開示されている。この開示によれば、記憶媒体の記憶容量を大きくした場合には、分割領域個々の記憶容量も大きくなることが予想される。しかしながら、この文献には、記憶した画像に関する制御情報を記憶媒体に記憶することについては何らの開示もなされていない。
【０００５】
また、従来のデジタルカメラにおいては、前述した制御領域として確保する記憶容量が記憶媒体全体の記憶可能総容量の大小に関わらず固定されていた。そのため、記憶可能総容量の大きな記憶媒体を使用したときに、大量の画像データを記憶しても画像データ毎の制御情報が記憶しきれなくなってしまうという場合が生じ得る。
【０００６】
本発明は上述した問題に鑑みてなされたものであり、その解決しようとする課題は、記憶媒体に記憶可能な画像データの量が増加しても、その増加に伴った容量の制御情報を当該記憶媒体に格納できるようにすることである。
【課題を解決するための手段】
【０００７】
本発明の態様のひとつである画像管理装置は、画像データを記憶するデータ領域と当該データ領域に記憶された画像データに関する制御情報を記憶する制御領域とを有する記憶媒体が着脱自在な画像管理装置において、上記装着された記憶媒体の記憶可能総容量を検出する検出手段と、上記検出された記憶媒体の記憶可能総容量に基づいて、上記制御領域として使用する容量を決定する決定手段と、を具備したことを特徴とするものである。
【０００８】
なお、上述した本発明に係る画像記憶装置において、上記画像管理装置は、記憶媒体の総記憶容量と制御領域の大きさとの関係を示す管理テーブルを記憶した記憶手段を有しており、上記制御領域は当該管理テーブルに基づいて決定されるように構成してもよい。
また、前述した本発明に係る画像記憶装置において、決定された制御領域の記憶容量に基づいて、当該制御領域に格納する制御ファイルのサイズ、または上記データ領域に記憶される画像データファイルの数が決定されるように構成してもよい。
【０００９】
また、前述した本発明に係る画像記憶装置において、上記決定手段は、既に設定されている制御領域の容量を変更することにより当該容量を決定するように構成してもよい。
なお、このとき、上記決定手段は、上記記憶可能総容量に基づいて決定される容量よりも、既に設定されている制御領域の容量の方が大きい場合には、当該容量の変更を行わないように構成してもよい。
【００１０】
また、前述した本発明に係る画像記憶装置において、上記決定手段は、制御領域に格納可能な制御ファイルの数の上限を超えた場合に、その旨を警告するように構成してもよい。
また、前述した本発明に係る画像記憶装置において、決定された制御領域の記憶容量に基づいて、当該制御領域に格納する制御ファイルの数、または上記データ領域に記憶される画像データファイルの数が決定されるように構成してもよい。
【００１１】
また、本発明の別の態様のひとつである管理方法は、画像データを記憶するデータ領域と当該データ領域に記憶された画像データに関する制御情報を記憶する制御領域とを有する着脱自在な記憶媒体における記憶領域の管理方法であって、上記装着された記憶媒体の記憶可能総容量を検出し、上記検出された記憶媒体の記憶可能総容量に基づいて、上記制御領域として使用する容量を決定する、ことを特徴とするものである。
【００１２】
なお、上述した管理方法をコンピュータに行わせるためのプログラムについても本発明に係るものである。
【発明の効果】
【００１３】
本発明は、以上のように構成することにより、記憶媒体に記憶可能な画像データの量に応じた制御情報を当該記憶媒体に格納できるようになるという効果を奏する。
【発明を実施するための最良の形態】
【００１４】
以下、本発明の実施の形態を図面に基づいて説明する。
本発明を実施するカメラに備えられているアルバム機能について、図１を参照しながら説明する。
図１において、本発明を実施する情報管理装置であるカメラ１０には、着脱自在な記憶媒体であるメモリカード１１が装着されており、各種のデータをメモリカード１１に記憶しておくことができる。このメモリカード１１には、画像ルートフォルダ１２とアルバムリストファイル１５とが記憶される。
【００１５】
画像ルートフォルダ１２は、画像データファイルを格納する根元のフォルダである。カメラ１０で直近に撮影された画像は、画像ルートフォルダ（「ＤＣＩＭ」フォルダ）１２内の画像格納フォルダ（「１００ＯＬＹＭＰ」フォルダ）１３に、画像データファイル１４−１、１４−２、…、１４−ｎ、…（以下、「１４−ｎ」と代表して示す）として格納される。
【００１６】
なお、後述するように、画像ルートフォルダ１２内には、カメラ１０で直近に撮影された画像のみならず、アルバムに登録されている画像についての画像データファイルも特に区別されることなく格納されるので、カメラ１０で直近に撮影された画像についてのデータファイルである画像データファイル１４−ｎのファイル名がアルバムリストファイル１５に示されている撮影リスト（「ＳＨＯＴ」）１６に撮影順に追記される。
【００１７】
アルバムリストファイル（「ＡＬＢＵＭ．ＰＶＭ」ファイル）１５は画像データファイル１４−ｎの各々と画像データファイル１４−ｎを含んでいる（画像データファイル１４−ｎが属している）アルバムとの関係（従属関係）を表している管理ファイルであり、各ファイルのファイル名を、そのファイルを含んでいるアルバム毎に並べたアルバムリスト１７によってその関係が表されている。このアルバムリスト１７におけるファイル名の並びにおいて、その先頭には当該アルバムの表紙に相当する表紙画像についての画像データファイルのファイル名を記すようにする。また、各アルバムのリストにおけるファイル名の並び順は、そのアルバムに含まれている画像の再生表示を行うときにおける再生順序を示す順序情報として利用され、例えば、リストの先頭にファイル名が示されるアルバムの表紙画像は、そのアルバムの再生表示を行うときにその最初に再生される。
【００１８】
なお、前述したように、アルバムリストファイル１５には撮影リスト１６も示されている。
なお、本実施形態においては、各アルバムには、「ＡＬＢＵＭ１」、「ＡＬＢＵＭ２」、「ＡＬＢＵＭ３」、…などと、名称が数字の昇順に定められるものとする。
【００１９】
なお、説明を簡単にするため、本実施形態においてはデータ内容の異なるデータファイルのファイル名が画像ルートフォルダ１２内で重複することはないものとする。従って、撮影リスト１６及びアルバムリスト１７に示されているファイル名のみで、画像ルートフォルダ１２内の画像データファイル１４−ｎを唯一つに特定することができる。ここで、例えばファイルの作成日時やファイル名に加えてファイルの格納位置等を示す情報を撮影リスト１６及びアルバムリスト１７に示すようにして、画像ルートフォルダ１２内で画像データファイル１４−ｎのファイル名が重複していても画像データファイル１４−ｎを唯一つに特定できるようにしてもよい。
【００２０】
以上のように、メモリカード１１は、画像データファイル１４−ｎを記憶するデータ領域と、このデータ領域に記憶された画像データファイル１４−ｎに関する制御情報が格納されているアルバムリストファイル１５を記憶する制御領域とを有する。
次に図２について説明する。同図は図１に示したカメラ１０のハードウェア構成を示している。
【００２１】
図２において、撮像処理部２３、画像処理部２４、ＲＡＭ２５、メモリＩ／Ｆ２６、表示制御部２７、ＵＳＢＩ／Ｆ２９、及びＣＰＵ３０はいずれもバス３３に接続されており、ＣＰＵ３０による管理の下で相互に各種のデータの授受を行うことができる。
レンズ２１によって結像された被写体像は、例えばＣＣＤ（Charge Coupled Device ）である撮像部２２によって電気信号に変換されて撮像処理部２３に入力される。撮像処理部２３では、入力された電気信号を所定の大きさまで増幅した後にアナログ−デジタル変換を行い、被写体像が表されている画像を示す画像データを出力する。
【００２２】
画像処理部２４は、撮像処理部２３から出力された画像データに対して、当該画像データで表現されている画像のγ補正やエッジ強調、ホワイトバランス補正等の画像処理を施す。また、画像データをメモリカード１１に記録する場合には、当該画像データに対してデータ圧縮処理を必要に応じて行う。更に、メモリカード１１に記録されている画像データで表されている画像の再生表示を行う場合には、メモリカード１１から読み出された画像データに対してデータ伸張処理を必要に応じて行う。
【００２３】
ＲＡＭ２５は、画像処理部２４やＣＰＵ３０が各種の処理を行う際に必要に応じて作業用として使用するランダム・アクセス・メモリである。
メモリＩ／Ｆ（インタフェース）２６はメモリカード１１をバス３３に接続するインタフェースであり、ＣＰＵ３０の管理の下でメモリカード１１に対する各種のデータの読み書きを可能とする。
【００２４】
表示処理部２７は、バス３３を経て送られてきた画像データをデジタル−アナログ変換して表示部２８へ与える。
表示部２８は例えばＬＣＤ（Liquid Crystal Display）であり、表示処理部２７に入力された画像データで表されている画像を表示する。
【００２５】
ＵＳＢ（Universal Serial Bus）Ｉ／Ｆ２９は、カメラ１０と例えばパーソナル・コンピュータ（ＰＣ）等の外部機器とを接続して各種のデータの授受を行えるようにするためのインタフェースである。
ＣＰＵ（Central Processing Unit ）３０はこのカメラ１０全体の動作制御を行う。
【００２６】
ＲＯＭ３１はＣＰＵ３０によって実行される制御プログラムやその実行の際に必要に応じて使用される各種のデータが格納されているリード・オンリ・メモリであり、ＣＰＵ３０はこの制御プログラムを実行することによって上述した動作制御が可能となる。
操作入力部３２はカメラ１０のユーザによって操作されるスイッチ類であり、操作の内容に対応付けられているユーザからの指示を取得してＣＰＵへ渡す。
【００２７】
次に、ＣＰＵ３０によって行われる各種の制御処理について説明する。これより説明する制御処理は、いずれもＲＯＭ３１に格納されている制御プログラムをＣＰＵ３０が読み出して実行することによって実現される。
まず図３について説明する。同図は起動時処理の処理内容をフローチャートで示したものである。この処理は、カメラ１０の操作入力部３２のひとつである電源スイッチをオンにしてカメラ１０を起動させる操作が検出されると開始される処理である。
【００２８】
まず、Ｓ１０１において各種初期化処理が行われる。この処理は、ＣＰＵ３０自身や撮像処理部２３、画像処理部２４、ＲＡＭ２５、表示処理部２７等の初期化、カメラ１０の電力源である電池（図２には不図示）の残量チェック、表示部２８の起動、等のカメラ１０が動作を開始するために必要な各種の行うための処理である。この各種初期化処理の詳細な説明は省略する。
【００２９】
Ｓ１０２では、メモリカード１１の認識処理が行われてメモリカード１１を認識できたか否かを判定する処理が行われる。具体的には、この処理は、メモリＩ／Ｆ部２６にメモリカード１１が物理的に接続されているか否か、記憶領域の管理のためのフォーマット処理がメモリカード１１に対して所定の形式で施されているか否か、等の判定を行う。
【００３０】
この判定処理において、メモリカード１１を認識できたと判定した（判定結果がＹｅｓ）ならばＳ１０７に、認識できなかったと判定した（判定結果がＮｏ）ならばＳ１０３に、それぞれ処理を進める。
Ｓ１０３では、メモリカード１１の認識ができなかった旨をユーザへ通知する警告表示画面を表示部２８で表示させる処理が行われる。
【００３１】
Ｓ１０４では、ユーザによるカメラ１０に対する操作によって行われるメモリカード１１に対する何らかの操作・指示（メモリカード１１のカメラ１０への装着や、メモリカード１１に対するフォーマット処理の実行など）を検出したか否かを判定する処理が行われ、この検出がなされるまで（判定結果がＹｅｓとなるまで）Ｓ１０４の処理が繰り返される。
【００３２】
Ｓ１０５では、メモリカードの認識処理が再度行われ、その結果、メモリカード１１を認識できたと判定した（判定結果がＹｅｓ）ならばＳ１０６に処理を進める。一方、認識できなかったと判定した（判定結果がＮｏ）ならばＳ１０４へ処理を戻して上述した処理を繰り返す。
【００３３】
Ｓ１０６では、Ｓ１０４の処理によって表示させた警告表示画面を表示部２８から消去する処理が行われる。
Ｓ１０７では、メモリカード１１の記憶領域の記憶可能総容量を検出して取得する処理が行われる。
【００３４】
Ｓ１０８では、ＲＯＭ３１に予め格納されているテーブルを参照し、そのテーブルにおいてメモリカード１１の記憶可能総容量に対応付けられて示されている、メモリカード１１に格納することとするアルバムの総数、及びそのアルバムの各々に対して登録する画像の登録可能枚数を取得する処理が行われる。
【００３５】
ＲＯＭ３１に格納されているテーブルの例を図４に示す。このテーブルは、メモリカード１１の総記憶容量と制御領域の大きさとの関係を示している。
図４のテーブル例を参照した場合、メモリカードの容量が例えば「１２８Ｍ」Ｂｙｔｅであったときには、メモリカード１１に格納するアルバムの総数は「８」、各アルバムに登録可能な画像の枚数は「２００」枚となる。つまり、このときには、アルバム毎に画像データファイル１４−ｎのファイル名を２００個格納する８アルバム分のアルバムリスト１７を格納可能なアルバムリストファイル１５が必要となり、メモリカード１１は、このようなアルバムリストファイル１５を記憶させる大きさの記憶領域が制御領域として使用されることとなる。
【００３６】
Ｓ１０９では、メモリカード１１の制御領域にアルバムリストファイル１５が既に記憶されているか否かを判定する処理が行われ、記憶されていると判定した（判定結果がＹｅｓ）ならばＳ１１２に、記憶されていないと判定した（判定結果がＮｏ）ならばＳ１１１に、それぞれ処理を進める。
【００３７】
Ｓ１１０では、Ｓ１０８の処理によって取得されたアルバム総数、及びアルバム毎の登録可能画像枚数の情報に基づき、これらのアルバムと画像との関係を全て管理することのできるサイズを有するアルバムリスト１７を備えるアルバムリストファイル１５を新規に作成する処理が行われ、続くＳ１１１において、作成したアルバムリストファイル１７をメモリカード１１に記憶させる処理が行われる。その後はＳ１１４に処理を進める。
【００３８】
Ｓ１１２では、Ｓ１０８の処理によって取得されたアルバム総数、及びアルバム毎の登録可能画像枚数の情報に基づき、メモリカード１１に記憶されていたアルバムリストファイル１５におけるアルバムリスト１７のサイズが、これらのアルバムと画像との関係を全て管理することのできるサイズ以上であるか否かを判定する処理が行われる。ここで、十分なサイズを有していると判定した（判定結果がＹｅｓ）ならば、アルバムリスト１７のサイズの変更を行うことなくＳ１１４に処理を進める。従って、この場合には、メモリカード１１においてアルバムリストファイル１５を記憶している制御領域の容量の変更は行われない。
【００３９】
一方、Ｓ１１２の判定処理において、アルバムリスト１７のサイズが不十分であると判定した（判定結果がＮｏ）ならば、Ｓ１１３において、Ｓ１０８の処理によって取得されたアルバム総数、及びアルバム毎の登録可能画像枚数の情報に基づいてアルバムリストファイル１５の容量を増加させ、これらのアルバムと画像との関係を全て管理することのできるようにアルバムリスト１７を拡張する処理が行われる。従って、この結果、メモリカード１１においてアルバムリストファイル１５を記憶している制御領域の容量が、それまで設定されていたものから変更されたことになる。
【００４０】
以上のように、メモリカード１１の記憶可能総容量に基づいてアルバムリスト１７のサイズ（データ格納容量）を決定するようにしているので、メモリカード１１に記憶可能な画像データファイル１４−ｎの量が増加しても、その増加に伴った容量のアルバムリスト１７がメモリカード１１に格納される。
【００４１】
Ｓ１１４では、操作入力部３２のひとつである、カメラ１０の動作モードの設定のために操作されるスライドスイッチが、どのように設定されているかを判定する処理が行われる。ここで、画像の撮影・記憶をカメラ１０に行わせる「撮影モード」の設定がされていると判定したならば、この起動時処理を終了し、Ｓ１１５の撮影モード処理の実行を開始する。一方、メモリカード１１に記憶されている画像の表示再生をカメラ１０に行わせる「再生モード」の設定がされていると判定したならば、この起動時処理を終了し、Ｓ１１６の再生モード処理の実行を開始する。
【００４２】
以下、撮影モード処理及び再生モード処理について説明する。
まず図５について説明する。同図は撮影モード処理の処理内容を示すフローチャートである。
まず、Ｓ２０１において、操作入力部３２のひとつである前述したスライドスイッチがどのように設定されているかを判定する処理が再度行われ、「撮影モード」の設定がされていると判定したならばＳ２０３に処理を進める。一方、「再生モード」の設定がされていると判定したならば、撮影モード処理を終了し、Ｓ２０４において、後述する再生モード処理の実行を開始する。
【００４３】
Ｓ２０３では、撮像部２２でそのときに取得されている画像をそのまま表示部２８で表示させる処理（スルー画表示処理）が行われる。
Ｓ２０４では、操作入力部３２のひとつである、撮影指示をカメラ１０へ与えるために操作されるレリーズボタンに対する１ｓｔレリーズ（いわゆる半押し）操作が検出されたか否かを判定する処理が行われ、検出されたと判定した（判定結果がＹｅｓ）ならばＳ２０５で１ｓｔレリーズ処理が行われる。この処理は、具体的には撮影用のＡＦ（Auto Focus：自動合焦）処理やＡＥ（Auto Exposure：自動露出）の固定（ロック）処理などであり、この処理の詳細はここでは省略する。
【００４４】
一方、Ｓ２０４の判定処理において、１ｓｔレリーズ操作が検出されなかったと判定した（判定結果がＮｏ）ならば、Ｓ２０１へと処理を戻して上述した処理が繰り返される。
Ｓ２０６では、操作入力部３２のひとつである前述したレリーズボタンに対する２ｎｄレリーズ（いわゆる全押し）操作が検出されたか否かを判定する処理が行われ、検出されたと判定した（判定結果がＹｅｓ）ならばＳ２０７に、検出されなかったと判定した（判定結果がＮｏ）ならばＳ２１０に、それぞれ処理を進める。
【００４５】
Ｓ２０７では、撮像処理部２３及び画像処理部２４に指示を与え、撮像部２２でそのときに取得されている画像を表す画像データに対して所定の画像処理や圧縮処理を施して画像データファイル１４−ｎを生成する処理が行われ、続くＳ２０８において、生成された画像データファイル１４−ｎをメモリカード１１の画像格納フォルダ１３内に記憶させる処理が行われる。
【００４６】
Ｓ２０９では、前ステップの処理によって記憶させた画像データファイル１４−ｎのファイル名を、メモリカード１１のアルバムリストファイル１５内の撮影リスト１６の末尾に追加登録する処理が行われ、その後はＳ２０１へと処理を戻して上述した処理が繰り返される。
【００４７】
ところで、Ｓ２０６において２ｎｄレリーズが検出されなかったときには、Ｓ２１０において、前述したレリーズボタンに対する１ｓｔレリーズの操作の解放されたことが検出されたか否かが判定され、検出されたと判定した（判定結果がＹｅｓ）ならばＳ２１１で１ｓｔレリーズ解放処理が行われ、その後はＳ２０１へと処理を戻して上述した処理が繰り返される。この１ｓｔレリーズ解放処理は、例えばＡＥロックの解除処理などであり、この処理の詳細はここでは省略する。
【００４８】
一方、Ｓ２１０の判定処理において、１ｓｔレリーズの操作の解放されたことが検出されなかったと判定した（判定結果がＮｏ）ならば、Ｓ２０６へと処理を戻して上述した処理が繰り返される。
以上までの処理が撮影モード処理であり、この処理がＣＰＵ３０によって行われることにより、カメラ１０で画像の撮影・記憶が可能となる。
【００４９】
次に図６について説明する。同図は再生モード処理の処理内容を示すフローチャートである。
まず、Ｓ３０１において、メモリカード１１のアルバムリストファイル１５に格納されている撮影リスト１６を参照する処理が行われ、続くＳ３０２において、その撮影リスト１６の末尾に示されているファイル名、すなわち、直近に撮影された画像についての画像データファイル１４−ｎのファイル名を取得する処理が行われる。
【００５０】
Ｓ３０３では、直近に取得したファイル名の画像データファイル１４−ｎを、メモリカード１１の画像格納フォルダ１３から取得する処理が行われる。
Ｓ３０４では、直近に取得した画像データファイル１４−ｎで表されている画像を表示部２８で表示させる処理が行われる。このときに表示部２８に表示される画面である１コマ表示の表示画面例を図７（ａ）に示す。
【００５１】
Ｓ３０５では、操作入力部３２のひとつである前述したスライドスイッチがどのように設定されているかを判定する処理が再度行われ、「撮影モード」の設定がされていると判定したならば、この再生モード処理を終了し、Ｓ３０６において、前述した撮影モード処理の実行を開始する。一方、「再生モード」の設定がされていると判定したならば、Ｓ３０７に処理を進める。
【００５２】
Ｓ３０７では、現在表示部２８で表示させている画像の前後の順番の画像を表示させる指示を取得したか否かを判定する処理が行われる。この指示は、操作入力部３２の所定のスイッチをユーザが操作することによってなされる。ここで、当該指示を取得したと判定した（判定結果がＹｅｓ）ならば、Ｓ３０８に処理を進め、撮影リスト１６において、現在表示部２８で表示させている画像についてのファイル名の示されている順番から当該指示に係る順番に示されているファイル名を取得する処理が行われる。その後はＳ３０３へと処理を戻して上述した処理が行われ、その取得されたファイル名である画像データファイル１４−ｎで表されている画像が表示部２８で表示される。
【００５３】
一方、Ｓ３０７の判定処理において、当該指示を取得しなかったと判定した（判定結果がＮｏ）ならば、Ｓ３０９において、図７（ｂ）に例示するようなインデックス表示画面、すなわち、複数の画像をひとつの画面に並べた一覧表示画面の表示の指示を取得したか否かを判定する処理が行われる。この指示も、操作入力部３２の所定のスイッチをユーザが操作することによってなされる。ここで、当該指示を取得したと判定した（判定結果がＹｅｓ）ならば、Ｓ３１０に処理を進め、後述するインデックス表示処理が行われる。その後はＳ３０３へと処理を戻して上述した処理が行われる。
【００５４】
ところで、Ｓ３０９の判定処理において、インデックス表示の指示を取得しなかったと判定した（判定結果がＮｏ）ならば、Ｓ３１１において、メニュー画面の表示指示を取得したか否かを判定する処理が行われる。この指示も、操作入力部３２の所定のスイッチをユーザが操作することによってなされる。ここで、当該指示を取得したと判定した（判定結果がＹｅｓ）ならば、Ｓ３１２に処理を進める。一方、当該指示を取得しなかったと判定した（判定結果がＮｏ）ならばＳ３０５へと処理を戻し、操作入力部３２に対する操作有無の検出が繰り返される。
【００５５】
Ｓ３１２では、現在表示部２８で表示中の画像についての画像データファイル１４−ｎのファイル名を、ＲＡＭ２５の所定の記憶領域に一時的に記憶しておく処理が行われ、続くＳ３１３において、後述する通常再生時メニュー処理が行われる。この処理の後は、Ｓ３１４において、Ｓ３１２の処理によって一時的に記憶させておいたファイル名を読み出して取得する処理が行われ、その後はＳ３０３へと処理を戻して上述した処理が行われ、その取得されたファイル名である画像データファイル１４−ｎで表されている画像が表示部２８で再表示される。
【００５６】
以上までの処理が再生モード処理である。
次に図８について説明する。同図は、上述した再生モード処理におけるＳ３１０の処理であるインデックス表示処理の処理内容をフローチャートで示したものである。
なお、本実施形態においては、インデックス表示画面として、横３コマ×縦３コマに並べた計９コマ分の画像を一覧表示するものとしているが、その代わりに、画面に一覧表示させる画像の枚数を増減させる、あるいはその並べ方を異なるものとする、などしてもよい。
【００５７】
まず、Ｓ４０１において、メモリカード１１に記憶されているアルバムリストファイル１５の撮影リスト１６において、直近に取得したファイル名（すなわち、表示部２８に現在表示されている画像についての画像データファイル１４−ｎのファイル名）の前後の順番のファイル名を４個ずつ、計８個取得する処理が行われる。この処理により、現在表示部２８に表示されている画像についてのものを含めて計９個のファイル名が取得されることとなる。
【００５８】
Ｓ４０２では、この計９個のファイル名の画像データファイル１４−ｎを、メモリカード１１の画像格納フォルダ１３から各々取得する処理が行われる。
Ｓ４０３では、取得された計９個の画像データファイル１４−ｎの各々で表されている画像を横３コマ×縦３コマに並べて図７（ｂ）に例示したようなインデックス表示画面を生成し、生成された画面を表示部２８に表示させる処理が行われる。
【００５９】
Ｓ４０４では、表示部２８に表示中のインデックス表示画面のうち中央（真ん中）の画像にカーソル枠を表示させる処理が行われる。カーソル枠は表示画像を囲む枠であり、一覧表示されている複数の画像のうち処理の対象とする画像を特定してユーザへ視覚的に通知するためのものである。
【００６０】
Ｓ４０５では、操作入力部３２のひとつである前述したスライドスイッチがどのように設定されているかを判定する処理が再度行われ、「撮影モード」の設定がされていると判定したならば、このインデックス表示処理と元の再生モード処理とを終了し、Ｓ４０６において、前述した撮影モード処理の実行を開始する。一方、「再生モード」の設定がされていると判定したならば、Ｓ４０７に処理を進める。
【００６１】
Ｓ４０７では、カーソル枠の移動の指示を取得したか否かを判定する処理が行われる。この指示も、操作入力部３２の所定のスイッチをユーザが操作することによってなされる。ここで、当該指示を取得したと判定した（判定結果がＹｅｓ）ならば、Ｓ４０８に処理を進め、表示部２８に現在表示中のインデックス表示画面に表示されているカーソル枠を当該指示に係る方向へ移動させる処理が行われる。その後はＳ４０５へと処理を戻して上述した処理が繰り返される。
【００６２】
一方、Ｓ４０７の判定処理において、カーソル枠の移動指示を取得していないと判定した（判定結果がＮｏ）ならば、Ｓ４０９において、表示部２８に現在表示されているインデックス表示画像の前後の順番のインデックス表示画像の表示の指示を取得したか否かを判定する処理が行われる。この指示も、操作入力部３２の所定のスイッチをユーザが操作することによってなされる。ここで、当該指示を取得したと判定した（判定結果がＹｅｓ）ならば、Ｓ４１０に処理を進め、メモリカード１１の撮影リスト１６において、直近に取得した計９個のファイル名（すなわち、表示部２８に現在一覧表示されている画像についての画像データファイル１４−ｎのファイル名）の前後の順番のファイル名のうち、当該指示に係る方向の順番のものを９個取得する処理が行われる。その後はＳ４０２へと処理を戻して上述した処理が繰り返され、当該指示に係るインデックス表示画面の表示が行われる。
【００６３】
ところで、Ｓ４０９の判定処理において、上述したような指示を取得していないと判定した（判定結果がＮｏ）ならば、Ｓ４１１において、図７（ａ）に例示したような通常表示（１コマ表示）を行う旨の指示を取得したか否かを判定する処理が行われる。この指示も、操作入力部３２の所定のスイッチをユーザが操作することによってなされる。ここで、当該指示を取得したと判定した（判定結果がＹｅｓ）ならばＳ４１２に処理を進める。一方、当該指示を取得していないと判定した（判定結果がＮｏ）ならばＳ４０５へと処理を戻し、操作入力部３２に対する操作有無の検出が繰り返される。
【００６４】
Ｓ４１２では、表示部２８に現在表示中のインデックス表示画面において、カーソル枠が付されている画像についての画像データファイル１４−ｎのファイル名を取得する処理が行われる。その後はこのインデックス処理を終了して元の再生モード処理へと処理を戻す。この結果、インデックス表示画面においてカーソル枠の付されていた画像の通常表示（１コマ表示）が再生モード処理の継続実行によってなされる。
【００６５】
以上までの処理がインデックス表示処理である。
次に図９について説明する。同図は、前述した再生モード処理におけるＳ３１２の処理である通常再生時メニュー処理の処理内容をフローチャートで示したものである。この処理は、図７（ｃ）に例示するような通常再生時メニュー画面を表示部２８に表示すると共に、この表示画面の表示中に操作入力部３２へなされた操作に対応した機能を実行させるための処理である。
【００６６】
まず、Ｓ５０１において、上述した通常再生時メニュー画面を表示部２８で現在表示中の画像に重畳表示させる処理が行われる。
Ｓ５０２では、操作入力部３２のひとつである前述したスライドスイッチがどのように設定されているかを判定する処理が再度行われ、「撮影モード」の設定がされていると判定したならば、このインデックス表示処理と元の再生モード処理とを終了し、Ｓ５０３において、前述した撮影モード処理の実行を開始する。一方、「再生モード」の設定がされていると判定したならば、Ｓ５０４に処理を進める。
【００６７】
Ｓ５０４では、操作入力部３２へなされた操作を取得し、取得された操作が「アルバム登録」の指示を示すものであったか否か判定する処理が行われ、この指示を取得した（判定結果がＹｅｓ）ならば、Ｓ５０５において後述するアルバム登録処理を実行し、その後はこの通常再生時メニュー処理を終了して元の再生モード処理へと戻る。
【００６８】
一方、Ｓ５０４の処理において、「アルバム登録」の指示を示す操作が取得されなかったと判定された（Ｓ５０４の判定結果がＮｏ）ならば、Ｓ５０６において、この取得された操作が「アルバム再生」の指示を示すものであったか否か判定する処理が行われ、この指示を取得した（判定結果がＹｅｓ）ならば、Ｓ５０７において後述するアルバム再生処理を実行し、その後はこの通常再生時メニュー処理を終了して元の再生モード処理へと戻る。
【００６９】
一方、Ｓ５０６の処理において、「アルバム再生」の指示を示す操作が取得されなかったと判定された（Ｓ５０６の判定結果がＮｏ）ならば、Ｓ５０８において、この取得された操作が「メニュー消去」の指示を示すものであったか否か判定する処理が行われ、この指示を取得した（判定結果がＹｅｓ）ならば、Ｓ５０９において、表示部２８に表示されている通常再生時メニュー画面の重畳表示を消去する処理が行われ、その後はこの通常再生時メニュー処理を終了して元の再生モード処理へと戻る。
【００７０】
一方、Ｓ５０８の処理において、「メニュー消去」の指示を示す操作が取得されなかったと判定された（Ｓ５０８の判定結果がＮｏ）ならば、Ｓ５１０において、この取得された操作がその他の指示（例えば図７（ｃ）の通常再生時メニュー画面の例では、表示部２８に表示させている再生画像を一定時間間隔で順に切り替える「スライドショー」の実行指示や、記録済みの画像の誤消去を防止する「プロテクト」機能の実行指示など）を示すものであったか否か判定する処理が行われ、この指示を取得した（判定結果がＹｅｓ）ならば、Ｓ５１１において、取得した指示に応じた処理が行われる。これらの処理の説明は省略する。
【００７１】
Ｓ５１１の処理を終えた後は処理をＳ５０９へと戻して通常再生時メニュー画面の重畳表示を消去する処理が行われる。
一方、Ｓ５１０の処理において、何らの指示を示す操作も取得されなかったと判定された（Ｓ５１０の判定結果がＮｏ）ならば、Ｓ５０２へと処理を戻して上述した処理を繰り返す。
【００７２】
以上までの処理が通常再生時メニュー処理である。
次に図１０について説明する。同図は、上述した通常再生時メニュー処理におけるＳ５０５の処理であるアルバム登録処理の処理内容をフローチャートで示したものである。この処理は、撮影済みの画像を所定のアルバムへ登録する処理である。
【００７３】
まず、Ｓ６０１において、後述するアルバム選択処理が実行される。この処理は、ユーザから指示される、画像の登録先のアルバムの選択結果を取得する処理である。
Ｓ６０１の処理に続き、Ｓ６０２では、表示部２８に現在表示中の画像をアルバムへ登録する指示を取得したか否かを判定する処理が行われる。この指示は操作入力部３２に対する操作によって行われる。ここで、当該指示を取得したと判定した（判定結果がＹｅｓ）ならば、Ｓ６０３において、前述した再生モード処理におけるＳ３１２（図６）の処理によって一時記憶しておいたファイル名、すなわち、表示部２８に現在表示されている画像についての画像データファイル１４−ｎのファイル名を取得する処理が行われ、その後はＳ６０８に処理を進める。
【００７４】
一方、Ｓ６０２の判定処理において、上述した指示を取得していないと判定した（判定結果がＮｏ）ならば、Ｓ６０４において、アルバムへ登録する画像をこれから選択する旨の指示を取得したか否かを判定する処理が行われる。この指示も操作入力部３２に対する操作によって行われる。ここで、当該指示を取得したと判定した（判定結果がＹｅｓ）ならば、Ｓ６０５において、後述する登録候補画像選択処理が実行される。この処理は、アルバムへ登録する画像の選択結果を取得する処理である。
【００７５】
Ｓ６０５の処理に続き、Ｓ６０６では、上述した登録候補画像選択処理によって選択された各画像についての画像データファイル１４−ｎのファイル名を取得する処理が行われ、その後はＳ６０８に処理を進める。
一方、Ｓ６０４の判定処理において、上述した指示を取得していないと判定した（判定結果がＮｏ）ならば、Ｓ６０７において、一旦指示していた画像の登録先であるアルバムの選択結果を修正する（選択をやり直す）旨の指示を取得したか否かを判定する処理が行われる。なお、この指示も操作入力部３２に対する操作によって行われる。ここで、当該指示を取得したと判定した（判定結果がＹｅｓ）ならば、Ｓ６０１へと処理を戻して上述したアルバム選択処理が再度実行される。一方、当該指示を取得していないと判定した（判定結果がＮｏ）ならば、Ｓ６０２へと処理を戻してユーザからの指示を検出する処理が繰り返される。
【００７６】
Ｓ６０８では、登録実行の指示、すなわち、登録対象として指示された画像を登録先として指示されたアルバムへの登録を実行する旨の指示を取得したか否かを判定する処理が行われる。この指示も操作入力部３２に対する操作によって行われる。ここで、当該指示を取得したと判定した（判定結果がＹｅｓ）ならばＳ６０９に処理を進め、当該指示を取得していないと判定した（判定結果がＮｏ）ならばＳ６１２に処理を進める。
【００７７】
Ｓ６０９では、直近に行われたＳ６０３若しくはＳ６０６のファイル名の取得処理によって取得されたファイル名の個数が、メモリカード１１に格納されているアルバムリスト１７のうちの、直近に実行されたＳ６０１のアルバム選択処理によって選択されたアルバムについてのリストに追加可能なファイル名の個数を超えているか否かを判定する処理が行われる。ここで、超えていると判定した（判定結果がＹｅｓ）ならば、Ｓ６１０において、用意されているアルバムリスト１７のサイズの上限を超えるため、アルバム登録の実行が不能である旨をユーザへ通知する警告表示を表示部２８に一定時間表示させる処理が行われる。この警告表示を一定時間行った後にはＳ６０１へと処理を戻し、上述した処理を繰り返す。
【００７８】
一方、Ｓ６０９の判定処理において、取得していたファイル名の個数が、選択中のアルバムについてのリストに追加可能な個数を超えていないと判定した（判定結果がＮｏ）ならば、Ｓ６１１において、この取得していたファイル名を、直近に実行されたＳ６０１のアルバム選択処理によって選択されたアルバムについてのリストの末尾へ追加登録する処理が行われ、その後はこのアルバム登録処理を終了して元の通常再生時メニュー処理へ戻る。
【００７９】
ところで、前述したＳ６０８の判定処理において、アルバム登録の実行指示を取得しなかったと判定したときには、Ｓ６１２において、このアルバム登録の実行を中止する旨の指示を取得したか否かを判定する処理が行われる。この指示も操作入力部３２に対する操作によって行われる。ここで、当該指示を取得したと判定した（判定結果がＹｅｓ）ならばこのこのアルバム登録処理を終了して元の通常再生時メニュー処理へ戻る。一方、当該指示を取得していないと判定した（判定結果がＮｏ）ならば、Ｓ６０８へと処理を戻し、登録実行の指示の検出処理を繰り返す。
【００８０】
以上までの処理がアルバム登録処理である。
次に図１１について説明する。同図は上述したアルバム登録処理におけるＳ６０１の処理であるアルバム選択処理の処理内容をフローチャートで示したものである。
まず、Ｓ７０１において、アルバムリストファイル１５をメモリカード１１から読み出してアルバムリスト１７を参照する処理が行われる。
【００８１】
Ｓ７０２では、アルバムリスト１７におけるアルバム名「ＡＬＢＵＭ１」についての画像データファイル１４−ｎのファイル名の並びのうちの先頭のもの、すなわちこのアルバムについての表紙画像である画像データファイル１４−ｎのファイル名を取得する処理が行われる。
【００８２】
Ｓ７０３では、直前に実行された処理によって取得されたファイル名である画像データファイル１４−ｎを、メモリカード１１の画像ルートフォルダ１２内から探し出して取得する処理が行われる。
Ｓ７０４では、前ステップの処理によって取得された画像データファイル１４−ｎで表されている画像を表示部２８に表示させる処理が行われ、続くＳ７０５において、表示中の画像が登録されているアルバムの番号、アルバムリスト１７においてそのアルバムのリストに登録可能な画像の枚数、及びそのアルバムのリストに現在登録されている画像の枚数を更に表示部２８に表示させる処理が行われる。
【００８３】
このＳ７０４及びＳ７０５の処理によって表示部２８に表示される画面例を図１２（ａ）に示す。同図において、右横の「１０」という数字がアルバムの番号を示している。そして、右下の「１０／１００」と表示されている数字のうち、「１００」がアルバムリスト１７においてそのアルバムのリストに登録可能な画像枚数を示しており、「１０」がそのアルバムのリストに現在登録されている画像の枚数を示している。
【００８４】
Ｓ７０６では、ユーザによる操作入力部３２に対する操作によって、表示部１８に表紙画像を表示中であるアルバムの前後の順番のアルバムを選択する指示を取得したか否かを判定する処理が行われ、この指示を取得したと判定した（判定結果がＹｅｓ）ならば、Ｓ７０７においてアルバムリスト１７における当該指示に係るアルバムについての画像データファイル１４−ｎのファイル名の並びのうちの先頭のものを取得する処理が行われ、その後はＳ７０３へ処理を戻して上述した処理を繰り返す。
【００８５】
一方、Ｓ７０６においてそのような指示を取得していないと判定した（判定結果がＮｏ）ならば、Ｓ７０８において、ユーザによる操作入力部３２に対する操作によって、指示されている表紙画像が登録されているアルバムの選択を決定させる指示を取得したか否かを判定する処理が行われる。ここで、この決定指示を取得したと判定した（判定結果がＹｅｓ）ならばこのアルバム選択処理を終了して元の処理へと処理を戻す。一方、この決定指示を取得していないと判定した（判定結果がＮｏ）ならばＳ７０６へ処理を戻して上述した処理を繰り返す。
【００８６】
以上までの処理がアルバム選択処理である。
次に図１３について説明する。同図は上述したアルバム登録処理におけるＳ６０５の処理である登録候補画像選択処理の処理内容をフローチャートで示したものである。
まず、Ｓ８０１において、前述した再生モード処理におけるＳ３１２（図６）の処理によって一時記憶しておいたファイル名、すなわち、表示部２８に現在表示されている画像についての画像データファイル１４−ｎのファイル名を取得する処理が行われ、その後はＳ６０８に処理を進める。
【００８７】
Ｓ８０２では、メモリカード１１に記憶されているアルバムリストファイル１５の撮影リスト１７において、直近に取得したファイル名（すなわち、表示部２８に現在表示されている画像についての画像データファイル１４−ｎのファイル名）に続く順番のファイル名を１１個取得する処理が行われる。この処理により、現在表示部２８に表示されている画像についてのものを含めて計１２個のファイル名が取得されることとなる。
【００８８】
Ｓ８０３では、この計１２個のファイル名の画像データファイル１４−ｎを、メモリカード１１の画像格納フォルダ１３から各々取得する処理が行われる。
Ｓ８０４では、取得された計１２個の画像データファイル１４−ｎの各々で表されている画像を横４コマ×縦３コマに並べてインデックス表示（一覧表示）画面を生成し、生成された画面を表示部２８に表示させる処理が行われ、続くＳ８０５では、登録先として現在選択されているアルバムの番号、アルバムリスト１７においてそのアルバムのリストに登録可能な画像の枚数、及びそのアルバムのリストに現在登録されている画像の枚数を更に表示部２８に表示させる処理が行われる。
【００８９】
このＳ８０４及びＳ８０５の処理によって表示部２８に表示される画面例を図１２（ｂ）に示す。同図において、左上隅の「１０」という数字がアルバムの番号を示している。そして、右上隅の「１０／１００」と表示されている数字のうち、「１００」がアルバムリスト１７においてそのアルバムのリストに登録可能な画像枚数を示しており、「１０」がそのアルバムのリストに現在登録されている画像の枚数を示している。
【００９０】
Ｓ８０６では、表示部２８に表示中のインデックス表示画面のうち、撮影リスト１６における先頭の（最も若い）順番の画像にカーソル枠を表示させる処理が行われる。
Ｓ８０７では、カーソル枠の移動の指示を取得したか否かを判定する処理が行われる。この指示は、操作入力部３２の所定のスイッチをユーザが操作することによってなされる。ここで、当該指示を取得したと判定した（判定結果がＹｅｓ）ならば、Ｓ８０８に処理を進め、表示部２８に現在表示中のインデックス表示画面に表示されているカーソル枠を当該指示に係る方向へ移動させる処理が行われる。その後はＳ８０３へと処理を戻して上述した処理が繰り返される。
【００９１】
一方、Ｓ８０７の判定処理において、カーソル枠の移動指示を取得していないと判定した（判定結果がＮｏ）ならば、Ｓ８０９において、表示部２８に現在表示されているインデックス表示画像の前後の順番のインデックス表示画像の表示の指示を取得したか否かを判定する処理が行われる。この指示も、操作入力部３２の所定のスイッチをユーザが操作することによってなされる。ここで、当該指示を取得したと判定した（判定結果がＹｅｓ）ならば、Ｓ８１０に処理を進め、メモリカード１１の撮影リスト１６において、直近に取得した計１２個のファイル名（すなわち、表示部２８に現在一覧表示されている画像についての画像データファイル１４−ｎのファイル名）の前後の順番のファイル名のうち、当該指示に係る方向の順番のものを１２個取得する処理が行われる。その後はＳ８０３へと処理を戻して上述した処理が繰り返され、当該指示に係るインデックス表示画面の表示が行われる。
【００９２】
一方、Ｓ８０９の判定処理において、前後の順番のインデックス表示画像の表示の指示を取得していないと判定した（判定結果がＮｏ）ならば、Ｓ８１１において、現在カーソル枠の付されている画像を選択する旨の指示を取得したか否かを判定する処理が行われる。この指示も、操作入力部３２の所定のスイッチをユーザが操作することによってなされる。ここで、当該指示を取得したと判定した（判定結果がＹｅｓ）ならば、Ｓ８１２に処理を進め、当該指示を取得していないと判定した（判定結果がＮｏ）ならば、Ｓ８１５に処理を進める。
【００９３】
Ｓ８１２では、現在カーソル枠の付されている画像がアルバムへ登録する画像の候補として既に選択済みとして設定されているか否かを判定する処理が行われる。ここで、この画像が既に選択済みに設定されていると判定した（判定結果かＹｅｓ）ならば、Ｓ８１３において、この画像の設定を未選択の状態へ戻し、その設定状態を示す表示を表示部２８で行う。一方、Ｓ８１２の判定処理において、現在カーソル枠の付されている画像が未選択のままであると判定した（判定結果がＮｏ）ならば、Ｓ８１４において、この画像の設定を選択済みの状態とし、その設定状態を示す表示を表示部２８で行う。画像がアルバムへの登録候補として選択されているか否かの表示としては、例えば、その画像へのチェックマークの表示の有無により行う。
【００９４】
上述したＳ８１３若しくはＳ８１４のいずれかの処理を終えた後には、Ｓ８０７へと処理を戻して上述した処理が繰り返され、操作入力部３２に対する操作の検出が繰り返される。
一方、前述したＳ８１１の判定処理において、画像選択の指示を取得していないと判定したときには、Ｓ８１５において、アルバムへ登録する画像の候補の選択を終了した旨の指示を取得したか否かを判定する処理が行われる。この指示も、操作入力部３２の所定のスイッチをユーザが操作することによってなされる。ここで、当該指示を取得したと判定した（判定結果がＹｅｓ）ならば、この登録候補画像選択処理を終了し、元のアルバム登録処理へと処理を戻す。
【００９５】
一方、Ｓ８１５の判定処理において、画像の候補の選択を終了した旨の指示を取得していないと判定した（判定結果がＮｏ）ならば、Ｓ８１６において、図１２（ｃ）に例示したような、通常表示（１コマ表示）による登録候補画像の選択画面の表示を行う旨の指示を取得したか否かを判定する処理が行われる。この指示も、操作入力部３２の所定のスイッチをユーザが操作することによってなされる。ここで、当該指示を取得したと判定した（判定結果がＹｅｓ）ならばＳ８１７に処理を進める。一方、当該指示を取得していないと判定した（判定結果がＮｏ）ならばＳ８０７へと処理を戻し、操作入力部３２に対する操作の検出が繰り返される。
【００９６】
Ｓ８１７では、表示部２８に現在表示中のインデックス表示画面において、カーソル枠が付されている画像の通常表示画面（１コマ表示画面）を表示部２８で表示する処理が行われ、続くＳ８１８では、登録先として現在選択されているアルバムの番号、アルバムリスト１７においてそのアルバムのリストに登録可能な画像の枚数、及びそのアルバムのリストに現在登録されている画像の枚数を更に表示部２８に表示させる処理が行われる。
【００９７】
図１２（ｃ）に示す表示画面例は、このＳ８１７及びＳ８１８の処理によって表示部２８に表示される画面例を示ており、同図において、左上隅の「１０」という数字がアルバムの番号を示している。そして、右上隅の「１０／１００」と表示されている数字のうち、「１００」がアルバムリスト１７においてそのアルバムのリストに登録可能な画像枚数を示しており、「１０」がそのアルバムのリストに現在登録されている画像の枚数を示している。
【００９８】
Ｓ８１９では、後述する１コマ表示制御処理が実行される。この処理は、図１２（ｃ）に示したような１コマ表示画面の表示時において、アルバムへ登録する画像の候補の選択内容を取得するための処理である。
Ｓ８２０では、前ステップの１コマ表示制御処理の処理中において、アルバムへ登録する画像の候補の選択を終了した旨の指示を取得していたか否かを判定する処理が行われ、当該指示がされていたと判定した（判定結果がＹｅｓ）ならばこの登録候補画像選択処理を終了し、元のアルバム登録処理へと処理を戻す。一方、当該指示がされていないと判定した（判定結果がＮｏ）ならば、Ｓ８０２へと処理を戻し、インデックス表示画面の再表示のための処理が実行される。
【００９９】
以上までの処理が登録候補画像選択処理である。
次に図１４について説明する。同図は、上述した登録候補画像選択処理におけるＳ８１９（図１３）の処理である１コマ表示制御処理の処理内容をフローチャートで示したものである。
【０１００】
まず、Ｓ８５１では、現在表示部２８で表示させている画像の前後の順番の画像を表示させる指示を取得したか否かを判定する処理が行われる。この指示は、操作入力部３２の所定のスイッチをユーザが操作することによってなされる。ここで、当該指示を取得したと判定した（判定結果がＹｅｓ）ならば、Ｓ８５２に処理を進め、撮影リスト１６において、現在表示部２８で表示させている画像についてのファイル名の示されている順番から当該指示に係る順番に示されているファイル名を取得する処理が行われる。更に、Ｓ８５３では、直近に取得したファイル名の画像データファイル１４−ｎを、メモリカード１１の画像格納フォルダ１３から取得する処理が行われ、続くＳ８５４では、直近に取得した画像データファイル１４−ｎで表されている画像を、現在表示中の画像に代えて表示部２８で表示させる処理が行われる。その後はＳ８５１へ処理を戻して上述した処理が繰り返される。
【０１０１】
一方、Ｓ８５１の判定処理において、前後の順番の画像の表示の指示を取得していないと判定した（判定結果がＮｏ）ならば、Ｓ８５５において、現在表示部２８に表示中の画像を選択する旨の指示を取得したか否かを判定する処理が行われる。この指示も、操作入力部３２の所定のスイッチをユーザが操作することによってなされる。ここで、当該指示を取得したと判定した（判定結果がＹｅｓ）ならば、Ｓ８５６に処理を進め、当該指示を取得していないと判定した（判定結果がＮｏ）ならば、Ｓ８５９に処理を進める。
【０１０２】
Ｓ８５６では、現在表示部２８で表示中の画像がアルバムへ登録する画像の候補として既に選択済みとして設定されているか否かを判定する処理が行われる。ここで、この画像が既に選択済みに設定されていると判定した（判定結果かＹｅｓ）ならば、Ｓ８５７において、この画像の設定を未選択の状態へ戻し、その設定状態を示す表示を表示部２８で行う。一方、Ｓ８５６の判定処理において、表示中の画像が未選択のままであると判定した（判定結果がＮｏ）ならば、Ｓ８５８において、この画像の設定を選択済みの状態とし、その設定状態を示す表示を表示部２８で行う。画像がアルバムへの登録候補として選択されているか否かの表示としては、例えば、その画像へのチェックマークの表示の有無により行う。
【０１０３】
上述したＳ８５７若しくはＳ８５８のいずれかの処理を終えた後には、Ｓ８５１へと処理を戻して上述した処理が繰り返され、操作入力部３２に対する操作の検出が繰り返される。
一方、前述したＳ８５５の判定処理において、画像選択の指示を取得していないと判定したときには、Ｓ８５９において、アルバムへ登録する画像の候補の選択を終了した旨の指示を取得したか否かを判定する処理が行われる。この指示も、操作入力部３２の所定のスイッチをユーザが操作することによってなされる。ここで、当該指示を取得したと判定した（判定結果がＹｅｓ）ならば、この登録候補画像選択処理を終了し、元の登録候補画像選択処理へと処理を戻す。なお、この場合においては、図１３の登録候補画像選択処理におけるＳ８２０の判定処理の結果はＹｅｓとなるので、登録候補画像選択処理が終了し、アルバム登録処理へと処理が戻る。
【０１０４】
一方、Ｓ８５９の判定処理において、画像の候補の選択を終了した旨の指示を取得していないと判定した（判定結果がＮｏ）ならば、Ｓ８６０において、図１２（ｂ）に例示したような、インデックス表示による登録候補画像の選択画面の表示を行う旨の指示を取得したか否かを判定する処理が行われる。この指示も、操作入力部３２の所定のスイッチをユーザが操作することによってなされる。ここで、当該指示を取得したと判定した（判定結果がＹｅｓ）ならばＳ８１７に処理を進め、現在表示部２８に表示中の画像についての画像データファイル１４−ｎのファイル名を取得する処理が行われ、その後はこの登録候補画像選択処理を終了し、元の登録候補画像選択処理へと処理を戻す。なお、この場合においては、図１３の登録候補画像選択処理におけるＳ８２０の判定処理の結果はＮｏとなるので、Ｓ８０２から登録候補画像選択処理が行われてインデックス表示による登録候補画像の選択画面が表示される。
【０１０５】
一方、Ｓ８６０の判定処理において、上述した指示を取得していないと判定した（判定結果がＮｏ）ならばＳ８５１へと処理を戻し、操作入力部３２に対する操作の検出が繰り返される。
以上までの処理が１コマ表示制御処理である。
【０１０６】
次に図１５について説明する。同図は、前述した通常再生時メニュー処理におけるＳ５０７（図９）の処理であるアルバム再生処理の処理内容をフローチャートで示したものである。この処理は、所定のアルバムに登録されている画像を表示部２８で再生表示させるための処理である。
【０１０７】
まず、Ｓ９０１において、表示部２８で現在表示中の画像に重畳表示されている通常再生時メニュー画面に代えて、図７（ｄ）に例示するようなアルバム再生時メニュー画面を重畳表示させる処理が行われる。
Ｓ９０２では、操作入力部３２へなされた操作を取得し、取得された操作が「アルバム再生」の指示を示すものであったか否か判定する処理が行われ、この指示を取得したと判定した（判定結果がＹｅｓ）ならばＳ９０３に処理を進め、この指示を取得していないと判定した（判定結果がＮｏ）ならばＳ９１０に処理を進める。
【０１０８】
Ｓ９０３では、前述したアルバム選択処理（図１１）が実行され、再生対象とするアルバムが選択される。
Ｓ９０４では、メモリカード１１のアルバムリストファイル１５に格納されているアルバムリスト１７を参照し、前ステップの処理によって選択されたアルバムについてのリストにおいて先頭に登録されているファイル名を取得する処理が行われる。
【０１０９】
Ｓ９０５では、取得したファイル名である画像データファイル１４−ｎをメモリカード１１の画像格納フォルダ１３から取得する処理が行われ、続くＳ９０６において、表示部２８での現在の表示を消去し、その代わりに、この画像データファイル１４−ｎで表されている画像を表示させる処理が行われる。
【０１１０】
Ｓ９０７では、現在表示部２８で表示させている画像の前後の順番の画像を表示させる指示を取得したか否かを判定する処理が行われる。この指示は、操作入力部３２の所定のスイッチをユーザが操作することによってなされる。ここで、当該指示を取得したと判定した（判定結果がＹｅｓ）ならば、Ｓ９０８に処理を進め、アルバムリスト１７における選択されたアルバムについてのリストにおいて、現在表示部２８で表示させている画像についてのファイル名の示されている順番から当該指示に係る順番に示されているファイル名を取得する処理が行われる。その後はＳ９０５へと処理を戻して上述した処理が行われ、その取得されたファイル名である画像データファイル１４−ｎで表されている画像が表示部２８で表示される。
【０１１１】
一方、Ｓ９０７の判定処理において、上述した指示を取得しなかったと判定した（判定結果がＮｏ）ならば、Ｓ９０９において、前述したアルバム再生時メニュー画面の再表示の指示を取得したか否かを判定する処理が行われる。この指示も、操作入力部３２の所定のスイッチをユーザが操作することによってなされる。ここで、この指示を取得したと判定した（判定結果がＹｅｓ）ならば、Ｓ９０１へと処理を戻して上述した処理を繰り返し、改めてアルバム再生時メニュー画面を重畳表示させる。一方、この指示を取得していないと判定した（判定結果がＮｏ）ならば、Ｓ９０７へと処理を戻し、操作入力部３２に対する操作の検出が繰り返される。
【０１１２】
ところで、前述したＳ９０２の判定処理において、「アルバム再生」の指示を取得していないと判定したときには、Ｓ９１０において、アルバムに登録されている画像をそのアルバム内で並べ替える旨の指示を取得したか否かを判定する処理が行われる。この指示は、操作入力部３２に対して所定の操作をユーザが行うことによってなされる。ここで、画像の並べ替えの指示を取得したと判定した（判定結果がＹｅｓ）ならば、Ｓ９１１において、アルバムリスト１７における現在表示部２８に表示中の画像が登録されているアルバムについてのリストを参照し、そのリストにおいて、現在表示部２８に表示中の画像についての画像データファイル１４−ｎのファイル名が示されている順番を示す番号（コマ番号）を表示部２８に重畳表示する処理が行われる。
【０１１３】
Ｓ９１２では、現在表示部２８に表示中の画像についての並べ替え後の順番の選択の指示を取得したか否かを判定する処理が行われる。この指示も、操作入力部３２に対して所定の操作をユーザが行うことによってなされる。ここで、この指示を取得したと判定した（判定結果がＹｅｓ）ならば、Ｓ９１３において、当該指示に係る並べ替え後の順番を示すコマ番号を表示部２８に重畳表示する処理が行われる。
【０１１４】
上述したＳ９１１及びＳ９１３の処理によって表示部２８に表示される画面例を図１２（ｄ）に示す。同図における画像に重畳表示されている「１００→４５」の数字において、「１００」は現在表示中の画像の並べ替え前のコマ番号を示しており、「４５」はユーザによって指示されたその画像の並べ替え後のコマ番号を示している。
【０１１５】
一方、Ｓ９１２の判定処理において、並べ替え後の順番の選択の指示を取得しなかったと判定した（判定結果がＮｏ）ならば、Ｓ９１４において、現在表示部２８に表示中の画像についての選択されたコマ番号への並べ替えの決定の指示を取得したか否かを判定する処理が行われる。この指示も、操作入力部３２に対して所定の操作をユーザが行うことによってなされる。ここで、この指示を取得したと判定した（判定結果がＹｅｓ）ならば、Ｓ９１５において、アルバムリスト１７における現在表示中の画像が登録されているアルバムについてのリストを並べ替え、現在表示中の画像についての画像データファイル１４−ｎのファイル名を指示に係る順番に挿入する。その後はＳ９０７へと処理を戻し、操作入力部３２に対する操作の検出が繰り返される。
【０１１６】
一方、Ｓ９１４の判定処理において、画像の並べ替えの決定の指示を取得していないと判定した（判定結果がＮｏ）ならば、Ｓ９１２へと処理を戻し、画像の並べ替えに関する操作入力部３２に対する操作の検出が繰り返される。
ところで、前述したＳ９１０の判定処理において、画像の並べ替えの指示を取得していないと判定した（判定結果がＮｏ）ならば、Ｓ９１６において、アルバム再生の終了の指示を取得したか否かを判定する処理が行われる。この指示も、操作入力部３２に対して所定の操作をユーザが行うことによってなされる。ここで、この指示を取得したと判定した（判定結果がＹｅｓ）ならば、このアルバム再生処理を終了し、元の通常再生時メニュー処理へと処理を戻す。
【０１１７】
一方、Ｓ９１６の判定処理において、アルバム再生の終了の指示を取得していないと判定した（判定結果がＮｏ）ならば、Ｓ９１７において、アルバムに登録されている画像をそのアルバムから取り除く（登録の解除）の指示を取得したか否かを判定する処理が行われる。この指示も、操作入力部３２に対して所定の操作をユーザが行うことによってなされる。ここで、この指示を取得したと判定した（判定結果がＹｅｓ）ならば、Ｓ９１８において、後述する画像解除処理を実行し、その後はＳ９０１へと処理を戻して上述した処理が繰り返される。一方、Ｓ９１７において、画像の解除の指示を取得していないと判定した（判定結果がＮｏ）ならば、Ｓ９０２へと処理を戻し、アルバム再生時メニュー画面の表示に対する操作入力部３２への操作の検出が繰り返される。
【０１１８】
以上までの処理がアルバム再生処理である。
次に図１６について説明する。同図は上述したアルバム再生処理におけるＳ９１８の処理である画像解除処理の処理内容を示すフローチャートである。この処理は、アルバムに登録されている画像をそのアルバムから取り除く（解除する）ための処理である。
【０１１９】
まず、Ｓ９５１において、現在表示部２８に表示中の画像を解除対象として選択してアルバムから解除する指示を取得したか否かを判定する処理が行われる。この指示は、操作入力部３２に対して所定の操作をユーザが行うことによってなされる。ここで、この指示を取得したと判定した（判定結果がＹｅｓ）ならばＳ９５２に処理を進め、この指示を取得していないと判定した（判定結果がＮｏ）ならばＳ９５７に処理を進める。
【０１２０】
Ｓ９５２では、現在表示部２８で表示中の画像についての画像データファイル１４−ｎのファイル名を解除対象の画像のファイル名として取得しておく処理が行われる。
Ｓ９５３では、解除対象である画像を登録されているアルバムから解除する処理の実行指示を取得したか否かを判定する処理が行われる。この指示も、操作入力部３２に対して所定の操作をユーザが行うことによってなされる。ここで、この指示を取得したと判定したならば、Ｓ９５４において、メモリカード１１に格納されているアルバムリストファイル１５のアルバムリスト１７における、直近に実行されていたアルバム選択処理（図１５のＳ９０３）によって選択されていたアルバムについてのリストから、既に取得されている解除対象の画像のファイル名を削除する処理が行われ、その後はこの画像解除処理を終了して元のアルバム再生処理へと処理を戻す。
【０１２１】
一方、Ｓ９５３の判定処理において、上述した指示を取得していないと判定した（判定結果がＮｏ）ならば、Ｓ９５５において、登録画像のアルバムからの解除を中止する旨の指示を取得したか否かを判定する処理が行われる。この指示も、操作入力部３２に対して所定の操作をユーザが行うことによってなされる。ここで、この指示を取得したと判定した（判定結果がＹｅｓ）ならば、Ｓ９５６において、この時点において解除対象として選択されていた全ての画像を「未選択」の設定へ戻す処理が行われ、その後はこの画像解除処理を終了して元のアルバム再生処理へと処理を戻す。一方、この指示を取得していないと判定した（判定結果がＮｏ）ならばＳ９５３へと処理を戻し、登録画像のアルバムからの解除の処理の実行・中止に関する指示の検出を繰り返す。
【０１２２】
ところで、前述したＳ９５１の判定処理において上述した指示を取得していないと判定したときには、Ｓ９５７において、現在選択がされているアルバムから解除する画像の選択を行う旨の指示を取得したか否かを判定する処理が行われる。この指示も、操作入力部３２に対して所定の操作をユーザが行うことによってなされる。ここで、この指示を取得したと判定した（判定結果がＹｅｓ）ならばＳ９５８に処理を進める。一方、この指示を取得していないと判定した（判定結果がＮｏ）ならばＳ９５１へと処理を戻し、アルバムから解除する画像の選択方法に関する指示の検出を繰り返す。
【０１２３】
Ｓ９５８では、図１２（ｅ）に例示するような画像選択の画面を表示部２８に表示させ、この画面中に解除元として現在選択されているアルバムの番号、アルバムリスト１７においてそのアルバムのリストに登録可能な画像の枚数、及びそのアルバムのリストに現在登録されている画像の枚数を更に表示部２８に表示させる処理が行われる。
【０１２４】
図１２（ｅ）において、左上隅の「１０」という数字がアルバムの番号を示している。そして、右上隅の「１０／１００」と表示されている数字のうち、「１００」がアルバムリスト１７においてそのアルバムのリストに登録可能な画像枚数を示しており、「１０」がそのアルバムのリストに現在登録されている画像の枚数を示している。
【０１２５】
Ｓ９５９では、現在表示部２８で表示させている画像の前後の順番の画像を表示させる指示を取得したか否かを判定する処理が行われる。この指示も、操作入力部３２に対して所定の操作をユーザが行うことによってなされる。ここで、当該指示を取得したと判定した（判定結果がＹｅｓ）ならば、Ｓ９６０に処理を進め、アルバムリスト１７における選択中のアルバムについてのリストにおいて、現在表示部２８で表示させている画像についてのファイル名の示されている順番から当該指示に係る順番に示されているファイル名を取得する処理が行われる。更に、Ｓ９６１では、取得したファイル名の画像データファイル１４−ｎを、メモリカード１１の画像格納フォルダ１３から取得する処理が行われ、続くＳ９６２では、取得した画像データファイル１４−ｎで表されている画像を、現在表示中の画像に代えて表示部２８で表示させる処理が行われる。その後はＳ９５９へ処理を戻して上述した処理が繰り返される。
【０１２６】
一方、Ｓ９５９の判定処理において、前後の順番の画像の表示の指示を取得していないと判定した（判定結果がＮｏ）ならば、Ｓ９６３において、現在表示部２８に表示中の画像を解除対象の画像として選択する旨の指示を取得したか否かを判定する処理が行われる。この指示も、操作入力部３２に対して所定の操作をユーザが行うことによってなされる。ここで、当該指示を取得したと判定した（判定結果がＹｅｓ）ならば、Ｓ９６４に処理を進め、当該指示を取得していないと判定した（判定結果がＮｏ）ならば、Ｓ９６７に処理を進める。
【０１２７】
Ｓ９６４では、現在表示部２８で表示中の画像がアルバムへ登録する画像の候補として既に選択済みとして設定されているか否かを判定する処理が行われる。ここで、この画像が既に選択済みに設定されていると判定した（判定結果かＹｅｓ）ならば、Ｓ９６５において、この画像の設定を未選択の状態へ戻し、その設定状態を示す表示を表示部２８で行う。一方、Ｓ９６４の判定処理において、表示中の画像が未選択のままであると判定した（判定結果がＮｏ）ならば、Ｓ９６６において、この画像の設定を選択済みの状態とし、その設定状態を示す表示を表示部２８で行う。画像がアルバムへの登録候補として選択されているか否かの表示としては、例えば、その画像へのチェックマークの表示の有無により行う。
【０１２８】
上述したＳ９６５若しくはＳ９６６のいずれかの処理を終えた後には、Ｓ９５９へと処理を戻して上述した処理が繰り返され、操作入力部３２に対する操作の検出が繰り返される。
一方、前述したＳ９６３の判定処理において、画像選択の指示を取得していないと判定したときには、Ｓ９６７において、アルバムへ登録する画像の候補の選択を終了した旨の指示を取得したか否かを判定する処理が行われる。この指示も、操作入力部３２に対して所定の操作をユーザが行うことによってなされる。ここで、当該指示を取得したと判定した（判定結果がＹｅｓ）ならば、Ｓ９６８において、解除対象として選択がされている全ての画像についての画像データファイル１４−ｎのファイル名を解除対象の画像のファイル名として取得する処理が行われ、その後はＳ９５３へと処理を戻し、登録画像のアルバムからの解除の処理の実行・中止に関する指示の検出を行う。一方、Ｓ９６７の判定処理において、上述した指示を取得していないと判定した（判定結果がＮｏ）ならば、Ｓ９５９へと処理を戻して上述した処理が繰り返され、操作入力部３２に対する操作の検出が繰り返される。
【０１２９】
以上までの処理が画像解除処理である。
以上までに説明した各処理をＣＰＵ３０が行うことにより、カメラ１０でアルバム機能が提供される。
なお、上述した実施形態においては、カメラ１０に装着されるメモリカード１１の制御領域に記憶されているアルバムリストファイル１５に撮影リスト１６及びアルバムリスト１７を格納するようにしていたが、撮影リスト１６とアルバムリスト１７とを別々のファイルとしてメモリカード１１の制御領域に記憶するようにしてもよい。また、アルバムリスト１７における各アルバムのリスト毎に別々のファイルとしてメモリカード１１の制御領域に記憶するようにし、メモリカード１１の記憶可能総容量に応じて決定される制御領域の容量に基づいて、アルバムのリストの数、すなわちアルバムのリストが格納されるファイルの数を決定するようにしてもよい。
【０１３０】
また、前述した実施形態においては、メモリカード１１の記憶可能総容量に基づいてメモリカード１１に格納することとするアルバムの総数、及びそのアルバムの各々に対して登録する画像の登録可能枚数を取得するために、ＲＯＭ３１に格納されている図４のようなテーブルを参照して取得していたが、この代わりに、メモリカード１１の記憶可能総容量を所定の計算式に代入してＣＰＵ３０が算術演算を行うことによってこれらの数値を取得するようにしてもよい。
【０１３１】
また、前述した実施形態においては、本発明を実施する情報管理装置として、カメラ１０で本発明を実施する例を説明したが、標準的な構成を有するコンピュータ、すなわち、コンピュータ全体の動作制御を司るＣＰＵ、このＣＰＵによって実行される基本制御プログラムやその実行の際に必要に応じて使用される各種のデータが格納されているＲＯＭ、ＣＰＵが各種の処理を行う際に必要に応じて作業用として使用するＲＡＭ、ＣＰＵによって実行される各種の制御プログラムやその実行の際に必要に応じて使用される各種のデータ及び画像データファイルを格納する磁気ディスク記憶装置、例えばマウス等のポインティングデバイスやキーボート装置などを有して構成されていてそれらに対する操作の内容に対応付けられているユーザからの指示を取得する入力部、例えばＣＤ（Compact Disc）やＭＯ（Magneto Optical ）ディスク、ＤＶＤ（Digital Versatile Disc）等の記録媒体に記録されている各種のデータを読み取るデータ読取装置、ＣＰＵ５１の指示に応じて所定の画像を表示する表示装置、他の機器との間で各種のデータの授受を行うインタフェース部、などを備えるコンピュータで本発明に係るアルバム機能を実現させることも可能である。
【０１３２】
このようなコンピュータで本発明を実施するためには、例えば、これまでに説明した、カメラ１０のＣＰＵ３０に行わせていた各種の制御処理をこのコンピュータのＣＰＵに行わせるための制御プロプログラムを作成して上述したような記録媒体に記録しておき、その制御プログラムをコンピュータに読み込ませてＣＰＵで実行させればよい。
【０１３３】
なお、記録媒体としてはインターネット等の通信回線に接続されているプログラムサーバとして機能するコンピュータシステムが備えている記憶装置であってもよい。この場合には、上述した制御プログラムを表現するデータ信号で搬送波を変調して得られる伝送信号を、プログラムサーバから伝送媒体である通信回線を通じてこのコンピュータへ伝送するようにし、コンピュータではこの伝送信号を受信して復調して元の制御プログラムを再現することによりこの制御プログラムをＣＰＵで実行できるようになる。
【０１３４】
この他、本発明は、画像データの管理機能を備えているＰＤＡ（Personal Digital Assistant：個人向け携帯情報端末）や携帯電話などでも実施することができる。
その他、本発明は、上述した実施形態に限定されることなく、本発明の要旨を逸脱しない範囲内で種々の改良・変更が可能である。
【図面の簡単な説明】
【０１３５】
【図１】アルバム機能の実施例の概要を示す図である。
【図２】図１に示したカメラのハードウェア構成を示す図である。
【図３】起動時処理の処理内容を示すフローチャートである。
【図４】メモリカードの記憶可能容量と、記憶アルバム数及びアルバムの登録可能画像枚数との関係を示すテーブルの例を示す図である。
【図５】撮影モード処理の処理内容を示すフローチャートである。
【図６】再生モード処理の処理内容を示すフローチャートである。
【図７】画面表示例を示す図（その１）である。
【図８】インデックス表示処理の処理内容を示すフローチャートである。
【図９】通常再生時メニュー処理の処理内容を示すフローチャートである。
【図１０】アルバム登録処理の処理内容を示すフローチャートである。
【図１１】アルバム選択処理の処理内容を示すフローチャートである。
【図１２】画面表示例を示す図（その２）である。
【図１３】登録候補画像選択処理の処理内容を示すフローチャートである。
【図１４】１コマ表示制御処理の処理内容を示すフローチャートである。
【図１５】アルバム再生処理の処理内容を示すフローチャートである。
【図１６】画像解除処理の処理内容を示すフローチャートである。
【符号の説明】
【０１３６】
１０  カメラ
１１  メモリカード
１２  画像ルートフォルダ
１３  画像格納フォルダ
１４−１、１４−２、１４−ｎ  画像データファイル
１５  アルバムリストファイル
１６  撮影リスト
１７  アルバムリスト
２１  レンズ
２２  撮像部
２３  撮像処理部
２４  画像処理部
２５  ＲＡＭ
２６  メモリＩ／Ｆ部
２７  表示処理部
２８  表示部
２９  ＵＳＢＩ／Ｆ
３０  ＣＰＵ
３１  ＲＯＭ
３２  操作入力部
３３  バス
【図１】
2005277700.tif 000003
【図２】
2005277700.tif 000004
【図３】
2005277700.tif 000005
【図４】
2005277700.tif 000006
【図５】
2005277700.tif 000007
【図６】
2005277700.tif 000008
【図７】
2005277700.tif 000009
【図８】
2005277700.tif 000010
【図９】
2005277700.tif 000011
【図１０】
2005277700.tif 000012
【図１１】
2005277700.tif 000013
【図１２】
2005277700.tif 000014
【図１３】
2005277700.tif 000015
【図１４】
2005277700.tif 000016
【図１５】
2005277700.tif 000017
【図１６】
2005277700.tif 000018